(57)【要約】【課題】相手側に電話が繋がっていないのを判定してリダイヤルを行い、また、相手側に電話が繋がったのを判定してその接続状態を保持することで、簡単、確実に相手側に電話を接続する。【解決手段】電話機２の動作状況等を表示する接続状態表示部５と、電話の各種機能を実行する機能実行部６とを有する電話機２のリダイヤル操作を自動的に行うリダイヤル装置であって、前記接続状態表示部５からの接続状態信号を解析し、相手側に電話が繋がっていない場合に、一連のダイヤル操作信号を生成して前記機能実行部６へ送出するリダイヤル制御回路３を含んで成るものである。【選択図】図１
2014183518.tif 000002
【特許請求の範囲】
【請求項１】
電話機の動作状況等を表示する接続状態表示部と、電話の各種機能を実行する機能実行部とを有する電話機のリダイヤル操作を自動的に行うリダイヤル装置であって、
前記接続状態表示部からの接続状態信号を解析し、相手側に電話が繋がっていない場合に、一連のダイヤル操作信号を生成して前記機能実行部へ送出するリダイヤル制御回路を含むことを特徴とする電話機のリダイヤル装置。
【請求項２】
前記リダイヤル制御回路に、リダイヤルの開始を手動で入力する手動開始スイッチと、この手動開始スイッチが押されている状態でリダイヤル操作の実行を手動で入力するリダイヤルスイッチとを接続したことを特徴とする請求項１記載の電話機のリダイヤル装置。
【請求項３】
前記電話機は、ＩＰ電話機であることを特徴とする請求項１又は２記載の電話機のリダイヤル装置。
【請求項４】
前記ＩＰ電話機は、繋がった相手側の電話機が高音質通話ができない場合に擬似広帯域の高音質通話となったことを表示する表示器を備えたことを特徴とする請求項３記載の電話機のリダイヤル装置。
【発明の詳細な説明】
【技術分野】
【０００１】
本発明は、電話機のリダイヤル操作を自動的に行うリダイヤル装置に関し、詳しくは、相手側に電話が繋がっていないのを判定してリダイヤルを行い、また、相手側に電話が繋がったのを判定してその接続状態を保持することで、簡単、確実に相手側に電話を接続する電話機のリダイヤル装置に係るものである。
【背景技術】
【０００２】
従来、例えば、コンサートやスポーツ観戦等にて電話で会場の席を確保するためには、チケット発売初日に電話をかけてチケットの申し込みを行うことになる。ところが、人気のあるコンサートやスポーツ観戦等においては、すぐに電話が繋がることはなく、再度電話をかけ直す必要がある。さらに、その後電話をかけ直すという操作を電話が繋がるまで行う必要があった。
【０００３】
これに対処して、従来の電話機のリダイヤル装置は、電話機又は携帯電話機にリダイヤルする番号や回数等を予め設定しておき、その後、オートリダイヤルボタンを操作すると、設定された番号にリダイヤルが行われ、相手先と電話が繋がると、鳴音又は振動等によりその旨を報知し、相手先に通話接続がなされない場合は、設定された回数だけリダイヤルが行われるようになっている（例えば、特許文献１参照）。
【０００４】
また、他の電話機のリダイヤル装置は、電話が繋がらない場合に応答されるトーン又はメッセージが登録された音声データベースと、電話をかけた際に応答されたトーン又はメッセージが前記音声データベースに登録されたトーン又はメッセージと同一であるかどうかを判断する音声認識部と、前記音声認識部において前記応答されたトーン又はメッセージが前記音声データベースに登録されたトーン又はメッセージと同一であると判断された場合にリダイヤルを行うリダイヤル部とを有して成っている（例えば、特許文献２参照）。
【先行技術文献】
【特許文献】
【０００５】
【特許文献１】特開２００１−１１９４６９号公報
【特許文献２】特開２０１２−１５５９３号公報
【発明の概要】
【発明が解決しようとする課題】
【０００６】
しかし、前記特許文献１に開示された電話機のリダイヤル装置においては、予め設定された回数しかリダイヤルを行わないため、その間に相手先と電話が繋がらなかった場合、相手先と電話が繋がっていないにもかかわらず、利用者の意思とは無関係にリダイヤル動作が終了してしまうことがあった。これでは、再度リダイヤル操作を一からやり直す必要があり、簡単、確実に相手側に電話を接続できないことがあった。
【０００７】
また、前記特許文献２に開示された電話機のリダイヤル装置においては、電話が繋がらない場合に応答される音声トーン又はメッセージが登録された音声データベースを必要とすると共に、電話をかけた際に応答された音声トーン又はメッセージが前記音声データベースに登録された音声トーン又はメッセージと同一であるかどうかをリアルタイムに判断する音声認識部を必要とし、ハードウェア構成として特別な機能部がなければリダイヤルすることができないものであった。
【０００８】
そこで、このような問題点に対処し、本発明が解決しようとする課題は、相手側に電話が繋がっていないのを判定してリダイヤルを行い、また、相手側に電話が繋がったのを判定してその接続状態を保持することで、簡単、確実に相手側に電話を接続する電話機のリダイヤル装置を提供することにある。
【課題を解決するための手段】
【０００９】
前記課題を解決するために、本発明による電話機のリダイヤル装置は、電話機の動作状況等を表示する接続状態表示部と、電話の各種機能を実行する機能実行部とを有する電話機のリダイヤル操作を自動的に行うリダイヤル装置であって、前記接続状態表示部からの接続状態信号を解析し、相手側に電話が繋がっていない場合に、一連のダイヤル操作信号を生成して前記機能実行部へ送出するリダイヤル制御回路を含むものである。
【００１０】
また、前記リダイヤル制御回路に、リダイヤルの開始を手動で入力する手動開始スイッチと、この手動開始スイッチが押されている状態でリダイヤル操作の実行を手動で入力するリダイヤルスイッチとを接続してもよい。
【００１１】
さらに、前記電話機は、ＩＰ電話機としてもよい。
【００１２】
また、前記ＩＰ電話機は、繋がった相手側の電話機が高音質通話ができない場合に擬似広帯域の高音質通話となったことを表示する表示器を備えたものとしてもよい。
【発明の効果】
【００１３】
本発明による電話機のリダイヤル装置によれば、リダイヤル制御回路により、電話機の動作状況等を表示する接続状態表示部からの接続状態信号を解析し、相手側に電話が繋がっていない場合に、一連のダイヤル操作信号を生成して電話の各種機能を実行する機能実行部へ送出することができる。したがって、相手側に電話が繋がっていないのを判定してリダイヤルを行い、また、相手側に電話が繋がったのを判定してその接続状態を保持することで、簡単、確実に相手側に電話を接続することができる。
【図面の簡単な説明】
【００１４】
【図１】本発明による電話機のリダイヤル装置の第１の実施形態を示すブロック図である。
【図２】第１の実施形態のリダイヤル装置の動作を説明するフローチャートである。
【図３】本発明による電話機のリダイヤル装置の第２の実施形態を示すブロック図である。
【図４】第２の実施形態のリダイヤル装置の動作を説明するフローチャートである。
【発明を実施するための形態】
【００１５】
以下、本発明の実施の形態を添付図面に基づいて説明する。
図１は、本発明による電話機のリダイヤル装置の第１の実施形態を示すブロック図である。この実施形態のリダイヤル装置は、ダイヤルした相手側に電話が繋がっていないのを判定して電話機のリダイヤル操作を全自動で行うもので、通信回線１に接続した電話機２に接続されたリダイヤル制御回路３を含んで成る。
【００１６】
前記電話機２は、例えばＩＰ（Internet Protocol）電話機である。ＩＰ電話機とは、インターネットで利用されるパケット通信プロトコルであるＩＰ（Internet Protocol）を使用して提供される電話サービスに対応した電話機のことで、音声を電話機でデジタルデータに変換し、パケットと呼ばれる単位に分割した上で、ＩＰネットワーク上を通話相手まで送ることで音声通話を行うものである。
【００１７】
このような電話機２は、図１に示すように、電話機全体の制御を行うＣＰＵ（中央処理装置）及びメモリなどで構成された電話機制御回路４と、電話機２の動作状況等を表示する接続状態表示部５と、電話の各種機能を実行する機能実行部６とを有している。
【００１８】
前記接続状態表示部５は、繋がった相手側の電話機が高音質通話ができない場合に擬似広帯域の高音質通話となったことを表示する表示器（例えばＬＥＤ）などの音質切替ランプ７と、電話機２の動作状況や電話番号、通話時間等を表示する液晶表示器などの動作表示器８とを含んでいる。また、前記機能実行部６は、電話の各種機能を選択し実行させるもので、テンキー、発信履歴ボタン、受話器を把持しないで通話するハンドフリーボタンや、リダイヤル機能部などを含んでいる。
【００１９】
ここで、本発明においては、前記電話機２に本発明によるリダイヤル装置の本体となるリダイヤル制御回路３が接続されている。このリダイヤル制御回路３は、電話機２の接続状態表示部５からの接続状態信号を入力して解析し、相手側に電話が繋がっていない場合に、一連のダイヤル操作信号を生成して電話機２の機能実行部６へ送出するもので、例えばＣＰＵ（中央処理装置）から成り、その機能部として接続状態解析部９と、電話接続判定部１０と、ダイヤル操作信号生成部１１とを有している。なお、このリダイヤル制御回路３は、相手側の電話機にダイヤルした後、相手側に電話が繋がっていない場合は全自動でリダイヤル操作を行うものである。
【００２０】
前記接続状態解析部９は、電話機２の接続状態表示部５からの接続状態信号を入力して解析するもので、例えば相手側の電話機がＩＰ電話機でない場合に擬似広帯域の高音質通話となったことを表示する音質切替ランプ７の点灯信号を解析したり、電話機２の動作状況や電話番号、通話時間等を表示する動作表示器８の信号を解析するようになっている。
【００２１】
前記電話接続判定部１０は、接続状態解析部９からの解析信号を入力して相手側に電話が繋がっているか否かを判定するもので、例えば音質切替ランプ７の点灯信号の入力により相手側に電話が繋がったと判定し、音質切替ランプ７の点灯信号が無いことにより相手側に電話が繋がっていないと判定する。また、動作表示器８の信号が入力し、その変化により相手側に電話が繋がったと判定し、或いは相手側に電話が繋がっていないと判定する。
【００２２】
前記ダイヤル操作信号生成部１１は、電話接続判定部１０からの判定信号を入力して相手側が話中などにより電話が繋がっていない場合に、一連のダイヤル操作信号を生成して電話機２の機能実行部６へ送出するものである。ここで、一連のダイヤル操作とは、(1)ダイヤル中の電話を一旦切断し、(2)発信履歴によりリダイヤルしたい最新の電話番号を呼び出し、(3)電話を掛けなおす、という一連の操作である。
【００２３】
次に、このように構成された電話機のリダイヤル装置の動作について、図２を参照して説明する。
まず、電話機２の使用者は、相手側の電話番号をダイヤルして電話を掛け、これにより動作が開始する。すると、図１に示すリダイヤル制御回路３の接続状態解析部９は、電話機２の接続状態表示部５の音質切替ランプ７又は動作表示器８の信号を入力して、接続状態信号を解析する（図２のステップＳ１）。
【００２４】
前記接続状態解析部９から出力された解析信号は、電話接続判定部１０に入力して、相手側に電話が繋がったか否か判断される（ステップＳ２）。もし電話接続判定部１０が相手側に電話が繋がったと判断した場合は、ステップＳ２は“YES”側へ進み、使用者はそのまま相手側と会話をした後、動作を終了する。
【００２５】
もし電話接続判定部１０が相手側に電話が繋がらなかったと判断した場合は、ステップＳ２は“NO”側へ進み、電話接続判定部１０から出力された判定信号は、ダイヤル操作信号生成部１１に入力して、一連のダイヤル操作信号を生成して機能実行部６へ送出する（ステップＳ３）。このとき、ダイヤル操作信号生成部１１は、(1)ダイヤル中の電話を一旦切断し、(2)発信履歴によりリダイヤルしたい最新の電話番号を呼び出し、(3)電話を掛けなおす、という一連のダイヤル操作信号を機能実行部６へ送出し、ステップＳ１へ戻る。
【００２６】
その後、リダイヤル制御回路３の制御により、前記ステップＳ１，Ｓ２，Ｓ３を繰返し実行して、電話接続判定部１０が相手側に電話が繋がったと判断した場合に、ステップＳ２が“YES”側へ進み、使用者は相手側と会話をした後、動作を終了する。この場合、使用者は何もリダイヤル操作をすることなく、全自動でリダイヤル操作が行われる。そして、連続してリダイヤルしている際に相手側に電話が繋がったと判定されるとその接続状態が保持されるので、簡単、確実に相手側に電話を接続することができる。
【００２７】
図３は、本発明による電話機のリダイヤル装置の第２の実施形態を示すブロック図である。この実施形態のリダイヤル装置は、電話機のリダイヤル操作を全自動で行うのではなく、使用者がリダイヤルの開始を手動で入力し、リダイヤルを行う際に自分でリダイヤル操作の実行を手動で入力して半自動でリダイヤル操作を行うもので、前記リダイヤル制御回路３に、手動開始スイッチ１２と、リダイヤルスイッチ１３とを接続したものである。
【００２８】
前記手動開始スイッチ１２は、リダイヤルの開始を手動で入力するもので、使用者の押し操作によりスイッチが押された状態を保持するタイプのスイッチとされている。前記リダイヤルスイッチ１３は、前記手動開始スイッチ１２が押されている状態でリダイヤル操作の実行を手動で入力するもので、このリダイヤルスイッチ１３が押されることにより前記リダイヤル制御回路３が始めて動作するようになっている。
【００２９】
次に、このように構成された第２の実施形態のリダイヤル装置の動作について、図４を参照して説明する。
まず、電話機２の使用者は、相手側の電話番号をダイヤルして電話を掛け、これにより動作が開始する。ダイヤルした相手側が話中で電話が繋がらない場合は、使用者は全自動でリダイヤル操作を行うか、半自動でリダイヤル操作を行うかを判断する。
【００３０】
全自動でリダイヤル操作を行うときは、使用者は、図３に示す手動開始スイッチ１２は押さない。このとき、リダイヤル制御回路３は、手動開始スイッチ１２が押されているかを判断し（図４のステップＳ１１）、今は押されていないので、ステップＳ１１は“NO”側へ進む。この場合、ステップＳ１３へジャンプして、ステップＳ１３，Ｓ１４，Ｓ１５の動作を行う。このステップＳ１３，Ｓ１４，Ｓ１５の動作は、図２に示す全自動のリダイヤル操作（ステップＳ１，Ｓ２，Ｓ３）と同じである。前記ステップＳ１５からステップＳ１１へ戻り、以後、ステップＳ１１，Ｓ１３，Ｓ１４，Ｓ１５を繰り返す。そして、相手側に電話が繋がったら、ステップＳ１４が“YES”側へ進み、使用者は相手側と会話をした後、動作を終了する。
【００３１】
次に、半自動でリダイヤル操作を行うときは、使用者は、図３に示す手動開始スイッチ１２を押す。このとき、リダイヤル制御回路３は、手動開始スイッチ１２が押されているかを判断し（ステップＳ１１）、今は押されているので、ステップＳ１１は“YES”側へ進む。さらに、使用者はリダイヤル操作を進めるために、リダイヤルスイッチ１３を押す。このとき、リダイヤル制御回路３は、リダイヤルスイッチ１３が押されたかを判断し（ステップＳ１２）、今は押されているので、ステップＳ１２は“YES”側へ進む。なお、この時点でリダイヤルスイッチ１３が押されていない場合は、ステップＳ１２は“NO”側へ進んでリターンし、リダイヤルスイッチ１３が押されるのを待つ。
【００３２】
リダイヤルスイッチ１３が押されると、ステップＳ１２は“YES”側へ進んで、ステップＳ１３へ入る。その後は、ステップＳ１３，Ｓ１４，Ｓ１５の動作を行う。このステップＳ１３，Ｓ１４，Ｓ１５の動作は、図２に示す全自動のリダイヤル操作（ステップＳ１，Ｓ２，Ｓ３）と同じである。前記ステップＳ１５からステップＳ１１へ戻り、以後、ステップＳ１１，Ｓ１２，Ｓ１３，Ｓ１４，Ｓ１５を繰り返す。そして、相手側に電話が繋がったら、ステップＳ１４が“YES”側へ進み、使用者は相手側と会話をした後、動作を終了する。この場合、使用者は手動開始スイッチ１２を押し、さらにリダイヤルスイッチ１３を押すだけで、相手側に電話が繋がったと判定されるとその接続状態が保持されるので、簡単、確実に相手側に電話を接続することができる。
【００３３】
なお、以上の説明では、電話機２は例えばＩＰ電話機としたが、本発明はこれに限られず、電話機の動作状況等を表示する接続状態表示部と、電話の各種機能を実行する機能実行部とに相当する手段を有し、リダイヤル操作を自動的に行う電話機であるならば、他のタイプの電話機であってもよい。また、図１及び図３に示すリダイヤル制御回路３は、電話機２に対して外付けで接続してもよいし、電話機２の筐体内に内蔵させてもよい。
【符号の説明】
【００３４】
１…通信回線
２…電話機
３…リダイヤル制御回路
４…電話機制御回路
５…接続状態表示部
６…機能実行部
７…音質切替ランプ
８…動作表示器
９…接続状態解析部
１０…電話接続判定部
１１…ダイヤル操作信号生成部
１２…手動開始スイッチ
１３…リダイヤルスイッチ
【図１】
2014183518.tif 000003
【図２】
2014183518.tif 000004
【図３】
2014183518.tif 000005
【図４】
2014183518.tif 000006